(57)【特許請求の範囲】
【請求項１】
複数のスラットが上下に連続して構成されたスラットカーテンと、該スラットカーテンの左右の側端部において上下方向に長手垂直に立設され、前記スラットカーテンの昇降を案内すべき開口溝が設けられたガイドレールとを有したシャッターにおいて、
前記左右のガイドレールに設けられ、前記スラットカーテンの側端部の表裏面の少なくとも一方に対向する内壁面を有し、ガイドレールの開口溝の開口縁部分に沿った垂直な軸線を中心として前記スラットカーテンの表裏方向に揺動自在な一対または単一の揺動部材（６）と、
前記スラットの側端部に突出形成される略断面Ｔ字状の規制爪片（８）と、を具備し、  スラットカーテンが前記揺動部材（６）の方向に撓んだときに、揺動部材（６）がスラットカーテンの撓みに沿って回動し、スラットカーテンの撓んだ方向の面が揺動部材（６）の内壁面（６ａ）に当接するとともに、前記規制爪片（８）の両側に延出する爪部（８ａ）が揺動部材（６）の揺動端部（６ｂ）に当接係止されるようにしたことを特徴とするシャッターにおけるスラットカーテンの抜止構造。
【発明の詳細な説明】
【０００１】
【発明の属する技術分野】
本発明は、スラットカーテンが風圧などによってガイドレールから抜け出すのを防止するシャッターにおけるスラットカーテンの抜止構造に関するものである。
【０００２】
【従来の技術】
シャッターのスラットカーテンが、例えば台風などによる風圧によって撓み、スラットカーテンの昇降を案内するガイドレールから、その側端部が抜け出て外れるのを防止するため、従来より、以下に説明するようなスラットカーテンの抜止構造が知られている。
【０００３】
従来のスラットカーテンの抜止構造は、図５に示すように、建物などの構造物に対して上下方向に延長して固定されるガイドレール２０が略断面コ字状に形成されて開口溝２０ａを有している。そして、ガイドレール２０の開口溝２０ａの開口内縁部分には、ガイドレール２０の長手方向に連続するとともに、それぞれ対向する突起部２１が設けられている。
【０００４】
また、スラットカーテン２２は、複数の横長略短冊状のスラット２３が上下に連続されることにより構成されている。そして、夫々または幾つかのスラット２３の両側端部２３ａには、スラット２３に対して直交して取り付けられて、スラット２３と共に略断面Ｔ字状に構成される規制爪片２４が設けられている。
【０００５】
このような、スラットカーテンに対して前記ガイドレール２０は、スラットカーテン２２の対応する両側端部２２ａにおいて、該側端部２２ａが挿入された状態でそれぞれの開口溝２０ａの開口部分がスラットカーテン２２ａを挟んで対向配置され、スラットカーテン２２を上下方向に案内するようになっている。
【０００６】
そして、風圧によって、図５に示すようにスラットカーテン２２が図中下方に撓んだ場合、スラットカーテン２２がガイドレール２０から抜け出そうとするが、スラットカーテン２２に設けられた規制爪片２４がガイドレール２０の突起部２１に当接係止することにより、スラットカーテン２２が抜止される。
【０００７】
【発明が解決しようとする課題】
しかしながら、上述した従来のスラットカーテンの抜止構造では、図５で示す規制爪片２４を例えば片持ちはりとみなした時、規制爪片２４と突起部２１との当接部分Ｐに掛かっているスラットカーテン２２の抜け出そうとする力Ｆが、規制爪片２４の片持部分Ｃに集中して掛かるため、規制爪片２４あるいはスラットカーテン２２が屈曲破損する恐れがあり、スラットカーテン２２のガイドレール２０からの抜け出しを確実に防止することができないという問題点があった。
【０００８】
また、スラットカーテン２２が撓んだ際、十分にスラットカーテン２２が抜止めされるには、ガイドレール２０の突起部２１にスラットカーテン２２の規制爪片２４を確実に当接係止させるために、規制爪片２４の張出長さをある程度長くするか、あるいは突起部を対向する方向に大きくすることが考えられる。
ところが、規制爪片の片持部分Ｃに掛かるモーメントは、規制爪片の張出長さが長いほど大きくなるとともに、前記力Ｆが大きくなるほど大きくなるので、規制爪片２４の張出長さを長くしてしまうと、規制爪片２４の耐久性が低下し、さらに突起部２１を対向する方向に大きくしてしまうと突起部２１側（ガイドレール側）にもモーメントが掛かってしまう。
【０００９】
さらに、前記モーメントは、規制爪片２４だけではなく、シャッタースラット２２にも掛かるので、上述した構成で抜止性能を向上させるためには、規制爪片２４およびシャッタースラット２２の強度を上げる必要があり、ところが強度を上げると製造コストが掛かるとともに、スラットカーテン２２の重量が増してしまう等の不都合が生じる。
【００１０】
そこで本発明は、上記課題を解消するために、風圧などによってスラットカーテンが撓んだ際に、スラットカーテンのガイドレールからの抜け出しを確実に防止することができ、特に抜け出し防止性能の向上を図ることのできるシャッターにおけるスラットカーテンの抜止構造を提供することを目的としている。
【００１１】
【課題を解決するための手段】
上記目的を達成するため本発明によるシャッターにおけるスラットカーテンの抜止構造は、複数のスラットが上下に連続して構成されたスラットカーテンと、該スラットカーテンの左右の側端部において上下方向に長手垂直に立設され、前記スラットカーテンの昇降を案内すべき開口溝が設けられたガイドレールとを有したシャッターにおいて、
前記左右のガイドレールに設けられ、前記スラットカーテンの側端部の表裏面の少なくとも一方に対向する内壁面を有し、ガイドレールの開口溝の開口縁部分に沿った垂直な軸線を中心として前記スラットカーテンの表裏方向に揺動自在な一対または単一の揺動部材６と、
前記スラットの側端部に突出形成される略断面Ｔ字状の規制爪片８と、を具備し、  スラットカーテンが前記揺動部材６の方向に撓んだときに、揺動部材６がスラットカーテンの撓みに沿って回動し、スラットカーテンの撓んだ方向の面が揺動部材６の内壁面６ａに当接するとともに、前記規制爪片８の両側に延出する爪部８ａが揺動部材６の揺動端部６ｂに当接係止されるようにしたことを特徴としている。
【００１２】
また、前記ガイドレール３の開口溝３ａ内において、開口溝３ａの内面と、前記揺動部材６の外側面６ｃとの間に介在される位置決弾性部材１０を備えた構成としてもよい。
【００１３】
スラットカーテン１が強風を受けて撓んだ際には、スラットカーテン１の側端部１ａの表裏何方かの面（撓んだ方向の面）が対向する揺動部材６の内壁面６ａと当接し、その揺動部材６がスラットカーテン１の撓みに添って回動する。
そして、スラット２の側端部２ａに設けられた規制爪片８の爪部８ａが揺動部材６の揺動端部６ｂに当接係止されることにより、スラットカーテン１の抜け出しが防止される。
【００１４】
【発明の実施の形態】
図１（ａ）は本発明のシャッターにおけるスラットカーテンの抜止構造を示す平断面図である。
【００１５】
始めに、シャッターのスラットカーテン１は、複数の横長略短冊状のスラット２が上下に連続して構成されている。
このスラットカーテン１は、上下方向に長手垂直に立設された左右一対のガイドレール３に対し、対応する左右の側端部１ａが挿入されて、その昇降が案内されている。
なお、本発明のスラットカーテンの抜止構造は、スラットカーテン１を案内すべく設けられたガイドレール３と、ガイドレール３に挿通案内されるスラットカーテン１の側端部１ａ（スラット２の側端部２ａ）とに構成されており、以下に説明するスラットカーテンの抜止構造では、左右一対のガイドレールの内、一方のガイドレール３側を図示して説明する。
【００１６】
まず、ガイドレール３は、図１（ａ）に示すように、左右の互いに向き合う一側が開口する開口溝３ａを有して略断面コ字状に形成されている。
そして、開口溝３ａの各開口縁部分には、それぞれガイドレール３の長手方向に沿って連続するとともに、互いに対向する支持片４，４が一体あるいは別体に形成されている。
また、対向する各支持片４，４の先端部には、ガイドレール３に沿った垂直な軸線をなす略円柱状の回転軸５，５が一体に形成されている。そして、各回動軸５，５には、それぞれ揺動部材６，６が配設される。
【００１７】
揺動部材６，６は、ガイドレール３の長手方向に沿って連続するように形成された一対の板状体であって、それぞれ支持片４の回動軸５に対応する軸受７を有してスラットカーテン１の表裏方向に揺動自在に嵌め込まれている。
そして、各揺動部材６，６は、互いに対向する内壁面６ａ，６ａを有していて、各内壁面６ａ，６ａの間には、スラットカーテン１の対応する側端部１ａが、その表裏面を各内壁面６ａ，６ａと対向するように挿入されて上下方向に案内される。
【００１８】
次に、前記ガイドレール３に設けられた揺動部材６，６の間に挿入されるスラットカーテン１の側端部１ａには規制爪片８が設けられている。
規制爪片８は、スラットカーテン１を構成する各スラット２毎の左右両側端２ａ，２ａに取り付けられている。
また、規制爪片８は、スラット２（シャッタースラット１）の表裏側において、スラット２（シャッタースラット１）の直交方向にそれぞれ突出する爪部８ａを有している。
【００１９】
なお、規制爪片８は、各スラット２毎に取り付けられず、所望に選択された一以上のスラット２の左右両側端２ａ，２ａに取り付けられていてもよい。
【００２０】
この規制爪片８のスラット２に対する取り付け例としては、図２（ａ）に示すように、規制爪片８が、両側に延出する爪部８ａ，８ａを有するとともに、該爪部８ａと直交する方向に取付片８ｂを有して略断面Ｔ字状に形成されていて、その取付片８ｂをスラット２の側端部２ａに対してリベットやステイプル、接着や溶着などの固定手段９にて固定するか、もしくは取付片８ｂをスラット２の側端部２ａに対して嵌合させて固定する。
【００２１】
また、図２（ｂ）に示すように、スラット２が中空部２ｂを有した形状の場合、上記のように略断面Ｔ字状に形成された規制爪片８の取付片８ｂをスラット２の側端部２ａより中空部２ｂに挿入させ、リベットやステイプル、接着や溶着などの固定手段９にて固定するか、もしくは取付片８ｂをスラット２の中空部２ｂに挿入させた後に中空部２ｂを押しつぶして固定したり、取付片８ｂをスラット２の中空部２ｂに嵌合させて固定する。
【００２２】
そして、上記構成のスラットカーテンの抜止構造を備えたシャッターにおいて、閉鎖状態となっているスラットカーテン１が強風を受けた際には、図１（ｂ）に示すように、スラットカーテン１が風圧によって図中下方に撓む。
スラットカーテン１の側端部１ａの表裏何方かの面（撓んだ方向の面）が対向する揺動部材６の内壁面６ａと当接する。そして、この揺動部材６は、スラットカーテン１の撓みに添って回動する。
この際、スラットカーテン１がガイドレール３の開口溝３ａから抜け出そうとするが、規制爪片８の一方の爪部８ａが揺動部材６の揺動端部６ｂに当接係止されることによりスラットカーテン１の抜け出しが防止される。
【００２３】
また、スラットカーテン１がさらなる風圧によって撓もうとした時には、規制爪片８の一方の爪部８が揺動部材６の揺動端部６ｂに当接係止されて、揺動部材６の内壁面６ａとスラットカーテン１の当接する面とが当接したままでの状態で、揺動部材６がさらに揺動する。
【００２４】
したがって、このように構成されたシャッターにおけるスラットカーテンの抜止構造では、ガイドレール３の開口溝３ａ内において、開口溝３ａ内に挿入されたスラットカーテン１の表裏面と対面する内壁面６ａを有するとともに、スラットカーテン１の表裏方向に揺動自在に設けられた一対の揺動部材６と、スラットカーテン１を構成するスラット２の側端部２ａにおいて、表裏方向に延出された規制爪片８とを有したことにより、スラットカーテン１が風圧によって撓んだ際に、スラットカーテン１の側端部１ａにおける撓んだ側の面と、該面と対向する揺動部材６の内壁面６ａとが当接するとともに、揺動部材６の揺動端部６ｂに規制爪片８の爪部８ａが当接するので、スラットカーテン１のガイドレール３からの抜け出しを確実に防止することができる。
【００２５】
また、スラットカーテン１が撓んだ際に、スラットカーテン１の側端部１ａと、揺動部材６の内壁面６ａとが面で当接するので、スラットカーテン１が面（揺動部材６の内壁面６ａ）で支えられるとともに、規制爪片８の爪部８ａが揺動部材６の揺動端部６ｂで当接係止されるので、従来のようにスラットカーテン１の側端部１ａにおける規制爪片８が取り付けられた部分にスラットカーテン１が抜け出そうとする力（モーメント）が集中することがなく、さらに規制爪片８の張出長さ（爪部８ａの突出長さ）が短尺のもので十分となる。
【００２６】
ゆえに、規制爪片８あるいはスラットカーテン１が屈曲破損しにくくなるので、規制爪片８およびシャッタースラット１の強度を特に上げる必要もなく、スラットカーテン１の抜止性能を向上させることが可能となる。
【００２７】
ところで、図３に示すように、ガイドレール３の開口溝３ａ内において、開口溝３ａの内面と、上述した各揺動部材６，６の外側面６ｃ，６ｃとの間に固定介在されるコイルバネ等よりなる位置決弾性部材１０を設けてもよい。
この位置決弾性部材１０によれば、スラットカーテン１が撓んでいない通常使用時において、各揺動部材６，６がスラットカーテン１と常に平行となるように位置決め付勢されているので、スラットーカーテン１の昇降の際にスラットカーテン１に対して揺動部材６，６の各内壁面６ａ，６ａが不意に接触することがない。
さらに、スラットカーテン１が撓んだ際には、揺動部材６を介して内壁面６に当接しているスラットカーテン１を通常使用時の位置に戻そうとする付勢力が働くことになる。
上記位置決弾性部材１０は、図示したコイルバネに限らず、板バネや軟質性弾性部材等、種々の構成（材料）が考えられる。
【００２８】
なお、上述した実施の形態では、ガイドレール３に設けられた支持片４がガイドレール３の長手方向に添って連続形成され、この支持片４に一体に形成された回動軸５に対して、揺動部材６が長手方向に連続して設けられている構成であるが、この限りでなく、揺動部材６を回動軸５の長手方向の所望位置に断続して設けたり、回動軸５をガイドレール３の長手方向の所望位置に断続して形成して、その部分に揺動部材６を設ける構成としてもよい。
ただし、この構成の場合、断続して設けられた全ての揺動部材６がシャッタースラット１の昇降（特に下降）を邪魔しないように、前述した位置決弾性部材１０等を用いて通常使用時としての平行な位置となるようにするとよい。
【００２９】
また、上述の実施の形態では、スラットカーテン１が図中下方に撓んだ場合を想定して説明したが、その逆にスラットカーテン１が図の上方に撓んだ場合であっても、上側の揺動部材６が同様に作用して、スラットカーテン１の抜け出しを防止することができる。
【００３０】
さらに、上述の実施の形態では、揺動部材６がガイドレール３の開口溝３ａの開口縁部分に対で設けられた構成を説明したが、前記揺動部材６を風圧によってスラットカーテン１が撓む側のみに単一で設け、スラット２の側端部２ａに設けられた規制爪片８の爪部８ａを揺動部材６が設けられた側に突出するように構成してもよく、この構成でも上述した同様の効果を得ることができる。
【００３１】
また、別の実施の形態として図４（ａ）に示すように、ガイドレール３の開口溝３ａ内において、各揺動部材６，６を長尺に形成し、該揺動部材６，６のそれぞれ対向する内壁面６ａ，６ａの中途部分に段部６Ｂ，６Ｂを設けるとともに、各揺動端部６ｂ，６ｂ間に連結部材１１を軸受連結して、各揺動部材６，６を基に図中一点鎖線で示すようなリンク機構１２を構成してもよい。
【００３２】
これによれば、図４（ｂ）に示すように、スラットカーテン１が撓んだ際に、スラットカーテン１の側端部１ａと、一方の揺動部材６の内壁面６ａとが面で当接するとともに、スラットカーテン１に設けられた規制爪片８の爪部８ａが、揺動部材６の段部６Ｂに当接して係止されるので、上述した実施の形態と同様の効果を得ることができる。
さらに、スラットカーテン１と当接していない他方の揺動部材６が、リンク機構１２によって共に揺動されるので、他方の揺動部材６が不意に揺動してスラットカーテン１に当接する恐れがない。
また、リンク機構１１をなす構成に、上述の位置決弾性部材１０を備えてもよい。
【００３３】
【発明の効果】
以上説明したように本発明によるシャッターにおけるスラットカーテンの抜止構造は、左右のガイドレールにおいて、スラットカーテンの表裏方向に揺動自在に設けられ、スラットカーテンの側端部の表裏面に対向する内壁面を有した揺動部材と、スラットの側端部の表裏面側に突出形成されて揺動部材の揺動端部と当接自在となる規制爪片とを設けたことにより、スラットカーテンが風圧によって撓んだ際に、スラットカーテンの側端部における撓んだ側の面と、該面と対向する揺動部材の内壁面とが当接して揺動部材が揺動するとともに、揺動部材の揺動端部に規制爪片が当接するので、スラットカーテンのガイドレールからの抜け出しを確実に防止することができる。
【００３４】
また、スラットカーテンが撓んだ際に、スラットカーテンの側端部における撓んだ側の面と、該面と対向する揺動部材の内壁面とが面同士で当接することにより、スラットカーテンが面（揺動部材の内壁面）で支えられるので、スラットカーテンが抜け出そうとする力（モーメント）が集中することがなくなり、規制爪片の張出長さが短尺のものでも十分となる。
【図面の簡単な説明】
【図１】（ａ）本発明のシャッターにおけるスラットカーテンの抜止構造を示す平断面図。
（ｂ）図１（ａ）における動作図。
【図２】（ａ）（ｂ）規制爪片の取付構造を示す斜視図。
【図３】スラットカーテンの抜止構造の他の構成を示す平断面図。
【図４】（ａ）別の実施の形態を示す平断面図。
（ｂ）図４（ａ）における動作図。
【図５】従来のシャッターにおけるスラットカーテンの抜止構造を示す平断面図。
【符号の説明】
１…スラットカーテン、１ａ…側端部、２…スラット、２ａ…側端部、３…ガイドレール、３ａ…開口溝、４…支持片、５…回動軸、６…揺動部材、６ａ…内壁面、６ｂ…揺動端部、６ｃ…外側面、７…軸受、８…規制爪片、８ａ…爪部、８ｂ…取付片、９…固定手段、１０…位置決弾性部材（コイルバネ）。
【図１】
0003598629.tif 000002
【図２】
0003598629.tif 000003
【図３】
0003598629.tif 000004
【図４】
0003598629.tif 000005
【図５】
0003598629.tif 000006